(57)【要約】【課題】器具のボルト孔からアンカー本体を直接挿入して器具を壁面等に固定することができ、一つの手順で器具の取り付けが完了する拡開アンカーを提供する。【解決手段】筒状脚部４の中間部分が軸線方向の長い溝７によって複数の脚８に分割されたアンカー本体２と、前記筒状脚部４内に挿入して螺合するボルト３の組合わせからなり、前記アンカー本体４の脚８は、２つの長い溝７で分割することにより、その横断面が略半円形に形成され、その両端と中間部に折れ曲がり用の節部９が設けられ、前記筒状脚部４の他端側に、拡径方向へ突出する羽根部又は切り刃１０を設けた。【選択図】図１
2010164180.tif 000002
【特許請求の範囲】
【請求項１】
筒状脚部の一端側に穿孔手段と内周にメネジ部を設け、この筒状脚部の中間部分が軸線方向に長い二つの溝によって複数の脚に分割され、それぞれの脚はその両端と中間に折れ曲がりを誘導する周方向の節部を有するアンカー本体と、
一端が鋭角の角度を有する尖り先で他端に回転工具の係合する頭部を有し、その長さが前記アンカー本体よりも長く、前記筒状脚部内に挿入してメネジ部に螺合するボルトの組合わせからなり、
前記ボルトの回転でアンカー本体のメネジ部を頭部側に引き込むことにより、アンカー本体の脚を節部の部分から折り曲げて開脚させるようにした拡開アンカーにおいて、
前記アンカー本体の筒状脚部を、拡開アンカーで固定せんとする器具に設けたボルト孔に挿通することができる外径に設定し、
この筒状脚部の脚はその横断面が略半円形となるように形成され、
前記筒状脚部の他端側に、拡径方向へ突出し、前記ボルトによる脚の開脚時の引き付け力によって器具のボルト孔に圧入し、アンカー本体をボルトのねじ込み回転方向へ共回りしないようにする羽根部と、
この羽根部に対して周方向に隣接して位置し、羽根部が縮径方向に圧縮変形した時にこれを収容できる空間を設けたことを特徴とする拡開アンカー。
【請求項２】
上記羽根部は、その突出量が筒状脚部の一端側から他端側に向けて徐々に大きくなっていることを特徴とする請求項１に記載の拡開アンカー。
【請求項３】
筒状脚部の一端側に穿孔手段と内周にメネジ部を設け、この筒状脚部の中間部分が軸線方向に長い二つの溝によって複数の脚に分割され、それぞれの脚はその両端と中間に折れ曲がりを誘導する周方向の節部を有するアンカー本体と、
一端が鋭角の角度を有する尖り先で他端に回転工具の係合する頭部を有し、その長さが前記アンカー本体よりも長く、前記筒状脚部内に挿入してメネジ部に螺合するボルトの組合わせからなり、
前記ボルトの回転でアンカー本体のメネジ部を頭部側に引き込むことにより、アンカー本体の脚を節部の部分から折り曲げて開脚させるようにした拡開アンカーにおいて、
前記アンカー本体の筒状脚部を、拡開アンカーで固定せんとする器具に設けたボルト孔に挿通することができる外径に設定し、
この筒状脚部の脚はその横断面が略半円形となるように形成され、
前記筒状脚部の他端側に、拡径方向へ突出し、前記ボルトによる脚の開脚時の引き付け力によって器具のボルト孔に対してその周囲を切り込むように圧入し、アンカー本体をボルトのねじ込み回転方向へ共回りしないようにする切り刃を設けたことを特徴とする拡開アンカー。
【請求項４】
上記筒状脚部に脚を形成する２つの長い溝は、筒状脚部とメネジ部の境界部分から筒状脚部の途中の範囲に設けられ、前記脚に設けた節部は、その一つである筒状脚部とメネジ部の境界部分を含めて、前記長い溝の両端部と中間部の位置に設定され、前記長い溝は各節部に対応する両端部と中間部に切り欠き孔が形成されていることを特徴とする請求項１乃至３の何れかに記載の拡開アンカー。
【請求項５】
上記脚に設けた節部は、この節部の内面側に向けて窪み状の平坦部によって形成されていることを特徴とする請求項１乃至４のいずれかに記載の拡開アンカー。
【発明の詳細な説明】
【技術分野】
【０００１】
この発明は、石膏ボードの貼られた壁面等に、器具を取り付けるための開脚型の拡開アンカー、更に詳しくは、器具に設けたボルト孔から壁面等に直接ねじ込むことによって器具を固定することができるようにした拡開アンカーに関する。
【背景技術】
【０００２】
従来、石膏ボードの貼られた壁面に器具を取り付ける場合に用いている拡開アンカーとしては、大別すると、壁面となる石膏ボードに打ち込んだりドリルなどで予めあけておいた孔に挿入するタイプと、自ら壁面に穿孔しながら取付ける自穿孔タイプがある。
【０００３】
前者の石膏ボードに打ち込んだり予めあけた孔に挿入するタイプの拡開アンカーは、一端側に頭部又は複数のリブを設けた筒状脚部の他端側内周にメネジ部を設け、この筒状脚部の中間部分が軸線方向に長い溝によって複数の脚に分割されたアンカー本体と、その長さが前記アンカー本体よりも長く、前記筒状脚部内に挿入してメネジ部に螺合するボルトの組合わせから形成されている(例えば、特許文献１乃至５参照)。
【０００４】
このような拡開アンカーにおいて、複数に分割された脚を開脚させるには、筒状の脚部を溝によって複数の細長い脚に分割し、その脚の長さ方向の中間部分に折れ曲がる節部を設けておき、アンカー本体内に挿通したボルトをメネジ部に螺合し、アンカー本体を回り止めにした状態でボルトを回動し、メネジ部を頭部側に引き込むことで、前記節部で脚を折り曲げて拡開させるものである。
【０００５】
上記ボルトのねじ込み時にアンカー本体を回り止めにする手段としては、アンカー本体の一端側に設けた頭部の周囲で壁面への重なり面に爪片を突設し、爪片が壁面に突き刺さることで回り止めを得るようにしたもの(特許文献１と２)と、筒状脚部の一端側外周に複数のリブを突設し、このリブが壁面にあけた孔の周囲に食い込むことにより回り止めを得るようにしたもの(特許文献４と５)がある。
【０００６】
上記の拡開アンカーを用いて壁面に器具を固定するには、ボルトをアンカー本体内に挿入してメネジ部に螺合したセット状態で、これを壁面に打ち込んで貫通させるか、または、予め壁面に設けた孔にアンカー本体の筒状脚部を挿入し、アンカー本体の頭部に設けた爪片を壁面に食い込ませるか、リブが壁面にあけた孔の周囲に食い込ませ、アンカー本体を回り止めとした状態で、アンカー本体にボルトを挿入してねじ込み方向に回動させ、メネジ部をボルトの頭部側に引き寄せることで壁面の裏側で脚を折り曲げて開脚させ、壁面にアンカー本体を固定する。
【０００７】
次に、ボルトを逆回転させてアンカー本体から一旦取外した後、壁面に器具を重ねてそのボルト孔をアンカー本体に同軸心となるよう一致させ、再度ボルト孔に挿入したボルトを前記アンカー本体のメネジ部にねじ込むことにより、ボルトの頭部で器具を壁面に押圧固定するものである。
【０００８】
なお、上記メネジ部を頭部側に引きつけて開脚させる手段としては、上記のように、ボルトをメネジに螺合させてから、専用のリベッターでボルトを引きつける場合と、ボルトを回転させるだけで引きつける場合がある
【０００９】
次に、自穿孔タイプの拡開アンカーは、筒状脚部の中間部分が複数の脚に分割されたアンカー本体と、前記アンカー本体の筒状脚部内に挿入するボルトの組合わせからなり、上記した予めあけた孔に挿入するタイプの拡開アンカーと基本的構造は共通しているが、前記アンカー本体は、一端に頭部を有する筒状脚部の他端に切削ヘッドを備え、その内周をメネジ部とすると共に、ボルトは先鋭端がアンカー本体における筒状脚部の他端から突出する長さに設定された構造になっている(例えば、特許文献６参照)。
【００１０】
上記自穿孔タイプの拡開アンカーを用いて壁面に器具を固定するには、ボルトをアンカー本体内に挿入してメネジ部に螺合したセット状態で、先ず、壁面にボルトの先鋭端を押付けて推力を加えながらこのボルトを壁面に向けてねじ込むと、ボルトとアンカー本体が一体に回転し、切削ヘッドの先端刃先が壁面に孔をあけることで、アンカー本体が壁面等を貫通し、アンカー本体の頭部が壁面に当接した状態で、この頭部の周囲に設けた爪片が壁面に突き刺さり、アンカー本体が回り止め状態となる。
【００１１】
このようなアンカー本体の回り止め状態でボルトを更にねじ込み方向に回転させると、ボルトはアンカー本体のメネジ部を頭部側に引き寄せることになり、これによって、壁面の裏側で脚が折れ曲がって開脚状態になる。
【００１２】
上記脚の開脚後にボルトを逆回転させ、壁面に取付けたアンカー本体から一旦取外し、次に、壁面に器具をそのボルト孔がアンカー本体と同軸心になるよう重ねて配置し、再びボルト孔からアンカー本体にボルトをねじ込み、その頭部で器具を壁面に押圧することで、器具を壁面等に固定するようにしている。
【先行技術文献】
【特許文献】
【００１３】
【特許文献１】米国特許第３，１４３，９１５号公報
【特許文献２】特公昭５６−１６２９２号公報
【特許文献３】特開２００４−１４４２７８号公報
【特許文献４】特開昭６１−３８２０８号公報
【特許文献５】特開昭５８−８８２１７号公報
【特許文献６】ＥＰ  ０  ３７８  ９０７号公報
【発明の概要】
【発明が解決しようとする課題】
【００１４】
ところで、上記した予め壁にあけた孔に挿入するタイプの拡開アンカーによると、器具を例えば４箇所のボルト孔を用いて壁面に取り付ける場合、最大で以下のような（１）から（８）の手順が必要になる。
【００１５】
（１）壁面の所定の個所に器具を当てがい、ボルト孔の位置を鉛筆などで印を付ける。
（２）壁面から離した器具を一旦、床などに置く。
（３）壁面に付けた印の個所にドリルで孔をあける。
（４）孔に対して拡開アンカーを挿入する。
（５）ボルトをねじ込み方向に回動させてメネジを引き込むことで脚部を拡開させる。
（６）アンカー本体からボルトを一旦抜き取る。
（７）器具を再び壁面に当てがい、器具に設けたボルト孔をアンカー本体に一致させる。
（８）抜いたボルトを再び器具のボルト孔からアンカー本体に挿入してメネジに螺合させる。
【００１６】
このような予めあけた孔に挿入するタイプの拡開アンカーによると、取り付け手順が多すぎて器具の取り付けに時間が掛かることと、ドリルでの壁面への孔あけ時にドリルの先端のすべりなどによって、孔の位置、すなわち、アンカー本体の取り付け位置がずれると、４箇所のボルトの何れかがメネジに螺合できないという問題も生じる。
【００１７】
また、上記した特許文献６で示されている自己穿孔タイプの拡開アンカーにおいては、上記の手順（３）である拡開アンカーのねじ込み前の壁面に対する孔の穿孔作業が省けるが、依然として予めあけた孔に挿入するタイプの拡開アンカーと同様の手順を必要とし、取り付けに要する時間や４箇所のボルト孔に対する位置ずれの問題も解消することができないものである。
【００１８】
上記した特許文献１や２及び６で示されている拡開アンカーにおいて、脚を開脚させる場合のアンカー本体を壁面に対して回り止めにするため、これら拡開アンカーは、筒状脚部の一端に外方に張り出した頭部を設け、この頭部の外周に複数の爪片を突設しているが、このような爪片は、その先端が壁面に当接してからアンカー本体の頭部が壁面に重なるまでは回転するため、その結果爪片が壁面に円形の溝を削ることになり、実際には壁面に対して突き刺さるものではないので回り止めが得られず、アンカー本体がボルトと「共回り」して、開脚に至らないという問題が生じる。
【００１９】
また、アンカー本体の回り止め手段として、筒状脚部の外周に設けたリブを壁面にあけた孔の周囲に食い込ませるものは、孔に対する軸方向の抜け止め機能が少なく、ボルトをねじ込もうとアンカー本体を強い力で押し込むと、壁面の裏面側に落ち込んでしまうという不都合が生じることになる。
【００２０】
ところで、上記従来の自己穿孔タイプの拡開アンカーの場合、仮に、この拡開アンカーの構造を用い、固定せんとする器具のボルト孔を通して壁面に器具を直接固定する使用が可能となるようにしようとした場合、固定せんとする器具のボルト孔によってアンカー本体の外径は制約を受けることになり、例えば、器具に設けた４箇所のボルト孔が直径５ｍｍの場合、アンカー本体の外径をボルト孔に挿通することができるよう、５ｍｍ以下の細くて長い構造にしなければならない。
【００２１】
このように、アンカー本体の外径が細径になると、分割された脚の開脚状態での強度を確保し、かつ、ボルトによるメネジ部の引き込みが適正に行え、開脚後の過剰な締め付けによる脚部の挫屈発生を防ぐような、強度的な観点からの工夫が必要になる。
【００２２】
上記した特許文献１や２及び６で示されている拡開アンカーにおいて、アンカー本体を壁面に対して周り止めにするため、アンカー本体の頭部周囲に複数の爪片を突設することを必要としているが、このような爪片は筒状脚部の外径とボルト孔の直径に十分な差がある場合にのみ設けることができ、例えば、ボルト孔が直径５ｍｍ程度の場合、アンカー本体の頭部をこのボルト孔に納まる直径にすると筒状脚部が極端に細径となり、頭部に複数の爪片を突設した構造を採用することができない。
【００２３】
更に、拡開アンカーにおいて、所定の耐引抜強度を得るには、壁面の裏面側において、脚を適正な開脚状態にしなければならないが、壁面の裏面にある脚はこれを目視することができないので、脚の適正な開脚状態が判らず、ボルトの過大な締め付けにより脚を坐屈させてしまうことがあり、所定の耐引抜強度が得られない状態が発生する。
【００２４】
また、上記ボルトによるメネジ部の引きつけにより、脚は両端部が外折れで中間部が中折れになるよう、脚を正確に開脚させる必要があり、このため、上記した特許文献１や２では、脚の外面に円弧状の溝又は円弧状の屈曲溝からなる節部を施し、特許文献６では、脚の幅を狭くすることで、折れ曲がりを容易にしているが、断面半円形の脚では形状的に折れ曲がり性が悪く、無理に折り曲げると縁部にヒビが入ることになり、前記した円弧状の溝又は円弧状の屈曲溝では円滑な折れ曲がりが得られないと共に、脚の幅を細くする方法は脚の強度を低下させ、筒状脚部が細径である場合に強度不足を招いて採用できない。
【００２５】
従来の拡開アンカーは、予めあけておいた孔に挿入するタイプと、自ら壁面に穿孔しながら取付ける自穿孔タイプの何れにおいても、本来、壁面への器具取り付けにおいて、器具をその上に当てがってボルトで固定するものであり、もし、アンカー本体を器具のボルト孔に挿通して用いようとすると、アンカー本体の頭部で器具を押えるため、将来、器具を取り外そうとした時に、開脚したアンカー本体とその頭部にはさまれた器具の取外しは容易ではないという問題が生じることになる。
【００２６】
そこで、この発明の課題は、自己穿孔タイプを採用して一つの手順で器具を直接壁面に固定することができ、しかも、壁面の裏面で脚を適正に開脚させ、適正な耐引抜強度が得られる新思想と構成を有する拡開アンカーを提供することにある。
【課題を解決するための手段】
【００２７】
上記のような課題を解決するため、請求項１の発明は、筒状脚部の一端側に穿孔手段と内周にメネジ部を設け、この筒状脚部の中間部分が軸線方向に長い二つの溝によって複数の脚に分割され、それぞれの脚はその両端と中間に折れ曲がりを誘導する周方向の節部を有するアンカー本体と、一端が鋭角の角度を有する尖り先で他端に回転工具の係合する頭部を有し、その長さが前記アンカー本体よりも長く、前記筒状脚部内に挿入してメネジ部に螺合するボルトの組合わせからなり、前記ボルトの回転でアンカー本体のメネジ部を頭部側に引き込むことにより、アンカー本体の脚を節部の部分から折り曲げて開脚させるようにした拡開アンカーにおいて、前記アンカー本体の筒状脚部を、拡開アンカーで固定せんとする器具に設けたボルト孔に挿通することができる外径に設定し、この筒状脚部の脚はその横断面が略半円形となるように形成され、前記筒状脚部の他端側に、拡径方向へ突出し、前記ボルトによる脚の開脚時の引き付け力によって器具のボルト孔に圧入し、アンカー本体をボルトのねじ込み回転方向へ共回りしないようにする羽根部と、この羽根部に対して周方向に隣接して位置し、羽根部が縮径方向に圧縮変形した時にこれを収容できる空間を設けたものである。
【００２８】
請求項２の発明は、上記羽根部を、その突出量が筒状脚部の一端側から他端側に向けて徐々に大きくなっているようにしたものである。
【００２９】
請求項３の発明は、筒状脚部の一端側に穿孔手段と内周にメネジ部を設け、この筒状脚部の中間部分が軸線方向に長い二つの溝によって複数の脚に分割され、それぞれの脚はその両端と中間に折れ曲がりを誘導する周方向の節部を有するアンカー本体と、一端が鋭角の角度を有する尖り先で他端に回転工具の係合する頭部を有し、その長さが前記アンカー本体よりも長く、前記筒状脚部内に挿入してメネジ部に螺合するボルトの組合わせからなり、前記ボルトの回転でアンカー本体のメネジ部を頭部側に引き込むことにより、アンカー本体の脚を節部の部分から折り曲げて開脚させるようにした拡開アンカーにおいて、前記アンカー本体の筒状脚部を、拡開アンカーで固定せんとする器具に設けたボルト孔に挿通することができる外径に設定し、この筒状脚部の脚はその横断面が略半円形となるように形成され、前記筒状脚部の他端側に、拡径方向へ突出し、前記ボルトによる脚の開脚時の引き付け力によって器具のボルト孔に対してその周囲を切り込むように圧入し、アンカー本体をボルトのねじ込み回転方向へ共回りしないようにする切り刃を設けたものである。
請求項４の発明は、上記筒状脚部に脚を形成する２つの長い溝は、筒状脚部とメネジ部の境界部分から筒状脚部の途中の範囲に設けられ、前記脚に設けた節部は、その一つである筒状脚部とメネジ部の境界部分を含めて、前記長い溝の両端部と中間部の位置に設定され、前記長い溝は各節部に対応する両端部と中間部に切り欠き孔が形成されているようにしたものである。
【００３０】
請求項５の発明は、上記脚に設けた節部は、この節部の内面側に向けて窪み状の平坦部によって形成されているようにしたものである。
【００３１】
ここで、上記筒状脚部は、例えば、器具に設けた５ｍｍのボルト孔に挿通することができる４．８ｍｍ程度の外径に形成され、この筒状脚部の他端側に設けた羽根部又は切り刃は、筒状脚部における周壁の一部を外方に突出するよう屈曲させることにより形成され、器具のボルト孔に筒状脚部を差込んだだけでは、ボルト孔に入りきらないようになっており、開脚時の引きつけ力によって引き寄せられて、器具のボルト孔に対して弾力的に進入することで発生する抵抗又は、ボルト孔の周囲に切り込むことにより、アンカー本体を回り止めにすると共に、ボルト孔に対して完全にはまり込んだ時点で、壁面の裏面で脚の適正な開脚状態が得られたことを知ることができ、過大な締め付けによる脚の坐屈発生を防止することができる。
【００３２】
また、脚の中間部に設けた窪み状の平坦部による節部は、その内面がボルトの外径面に当たるように形成され、脚はこの部分で直径が少し大きくなることで、脚の中間部分は開脚時に外側へ確実に折れ曲がることになる。
【発明の効果】
【００３３】
この発明によると、器具のボルト孔からアンカー本体を挿入して器具を直接壁面に固定することができ、一つの手順で器具の取り付けが完了して取付け時間が短縮され、また、器具のボルト孔からアンカーを挿入してそのまま固定することができるために、複数箇所を固定する場合のボルト孔に対する位置ずれの問題を解決することができる。
【００３４】
また、筒状脚部に設けた羽根部又は切り刃は、アンカー本体を押し込むだけではボルト孔には入りきらず、アンカー本体を回り止め状にしてボルトでメネジ部を頭部側へ引き寄せることにより、脚を折り曲げて開脚させることができ、この開脚時の引き付け力によって羽根部又は切り刃がボルト孔に納まることで、壁面の裏側で適正な開脚状態が得られたことを知ることができ、過大に締め付けて脚を坐屈させるのを防止することができる。
【００３５】
特に、固定する器具が０．５ｍｍ程度の金属薄板からなる場合は、切り刃が金属板のボルト孔の内周メカに切り込みながら入ることによって、強い回り止め効果を得ることができ、従来のアンカーのように、脆い石膏壁に爪片を突き刺して回り止め効果を得ようとしたり、壁材の孔の内周面にアンカー頭部外周の突条の弾性をもって圧接して回り止め効果を得ようとすることに比べ、金属板同士のかみ合いによる強い回り止め効果が得られる。
【００３６】
更に、筒状脚部の分割した脚の横断面を半円状とし、折り曲げ用の節部を窪み状の平坦部にしたので、筒状脚部を細径にしても脚の耐力を維持しながら、壁面の裏で脚を確実に開脚させることができる。
【図面の簡単な説明】
【００３７】
【図１】（ａ）はこの発明に係る拡開アンカーの第１の実施の形態におけるアンカー本体を示す正面図、（ｂ）は同側面図、（ｃ）はアンカー本体の縦断正面図、（ｄ）はアンカー本体にボルトを組合わせた拡開アンカーの正面図、（ｂ）は同縦断正面図
【図２】（ａ）は石膏ボードの壁面に第１の実施の形態の拡開アンカーを貫通させた状態の縦断正面図、（ｂ）は石膏ボードの壁面を貫通した拡開アンカーを開脚させた器具固定状態を示す縦断正面図
【図３】（ａ）はアンカー本体の脚に設けた節部とボルトの関係を示す拡大した軸方向に沿う縦断面図、（ｂ）は同じく周方向に沿う縦断面図
【図４】（ａ）はこの発明に係る拡開アンカーのアンカー本体を製造する場合の一例を示す展開図、（ｂ）は同斜視図、（ｃ）はアンカー本体の筒状脚部に設けた羽根部を示す拡大した端面図
【図５】（ａ）はこの発明に係る拡開アンカーの第２の実施の形態におけるアンカー本体を示す正面図、（ｂ）は同側面図、（ｃ）はアンカー本体の縦断正面図
【発明を実施するための形態】
【００３８】
以下、この発明の実施の形態を添付図面に基づいて説明する。
【００３９】
この発明の拡開アンカーは、器具に設けた小径のボルト孔からアンカー本体を直接挿入して、石膏ボードを用いた壁面に器具を直接固定するという飛躍した思想を実現することに着目したものである。
【００４０】
この実現のためには、アンカー本体が小径のボルト孔に挿入できる程に「細い」ことが要求され、先端に孔あけのできる穿孔機構を有することが必要になり、先端に穿孔機構を有する自己穿孔タイプの拡開アンカーは周知技術であるが、筒状脚部を細くすると溝で分割した脚は荷重を支えきれない程に弱いものになる。
【００４１】
図１乃至図４は、この発明に係る拡開アンカー１の第１の実施の形態を示しており、細くて長いアンカー本体２と、このアンカー本体２の内部にねじ込むボルト３の組合わせによって形成されている。
【００４２】
上記アンカー本体２は、金属板を用いて所定長さの円筒状に形成された筒状脚部４の一端側に穿孔手段５と内周にメネジ部６を設け、この筒状脚部４の中間部分が軸線方向の長い溝７によって複数の脚８に分割され、それぞれの脚８は、その両端と中間に折れ曲がりを誘導する節部９を有していると共に、筒状脚部４の他端側で軸線を挟む両側の位置に、筒状脚部４の外径に対して拡径方向へ突出する羽根部又は切り刃１０と、この羽根部又は切り刃１０に対する隣接位置に、羽根部１０が縮径方向に圧縮変形した時にこれを収容できる空間１１が設けられている。
【００４３】
また、ボルト３は、螺軸１２一端が鋭角の角度を有する尖り先１３で他端に回転工具の係合する頭部１４を有し、その長さが前記アンカー本体２よりも長く、前記筒状脚部４内に挿入してメネジ部６に螺合するようになっている。
【００４４】
上記アンカー本体２において、筒状脚部４の一端側（先端側）は、この筒状脚部４よりも少し小径の短尺筒部１５となり、上記した穿孔手段５が、短尺筒部１５の先端面で軸心を挟む両側の位置に設けた先端方向へ向けて先鋭状に突き出す一対の爪状突起５ａによって形成され、前記短尺筒部１５の内周がメネジ部６に形成されている。
【００４５】
上記筒状脚部４に設けた脚８は、筒状脚部４の中間部分に軸心を挟んで施した２つの長い溝７で分割することにより、その横断面が略半円形に形成され、溝７を二つにして横断面が略半円形とすることで、筒状脚部４を細径にしても脚８が曲げ力に抗するものとなり、筒状脚部４を細径にしても支持力を得ることができる。
【００４６】
ちなみに、筒状脚部４は、０．５ｍｍ程度の厚みを有する金属板を用いて円筒状に形成され、その外径は、器具ａに設けた直径５ｍｍのボルト孔ｂに挿通することができるよう、４．８ｍｍ程度に設定され、一端側の短尺筒部１５は外径が４ｍｍ程度となり、筒状脚部４の長さは、石膏ボードｃを用いた壁面の厚みにもよるが、短尺筒部１５を含めて４０ｍｍ前後になっている。
【００４７】
上記筒状脚部４の脚８に設けた節部９は、その一つである筒状脚部４と短尺筒部１５の境界部分を含めて、前記長い溝７の両端部と中間部の三箇所の位置に設定され、図３（ａ）と（ｂ）のように、中間と他端側に位置する周方向の節部９が、軸方向の断面形状と周方向の断面形状が、内面側に向けて窪む平坦部に形成され、前記長い溝７は各節部９に対応する両端部と中間部が円形孔や長円形孔による孔１６になっており、脚８が節部９から折れ曲がるのを容易にすると共に、横断面が略半円形となる脚８の内折部分に干渉が発生するのを防いでいる。
【００４８】
上記節部９において、中間部や他端側に位置する節部９を内側へ向けて軸方向及び周方向に窪む平坦部にし、この平坦部の内面が内部でボルト３の螺軸１２における外径面に接するようにすると、図５（ａ）と（ｂ）に拡大して示すように、アンカー本体２内にボルト３を挿入することで、脚８をやや外方向へ広げることになり、これによって、開脚時に脚８が外方に折れ曲がり易くなり、開脚を容易にする役目をする。
【００４９】
上記筒状脚部４の他端側で軸線を挟む両側の位置に設けた羽根部又は切り刃１０は、図１（ａ）と図５（ｃ）の場合、羽根部の例を示し、筒状脚部４の周壁でこの周壁に施した軸方向の切れ目を挟む両側を外方に屈曲させ、その先端縁の突出量を、筒状脚部４の一端側から他端側に向けて徐々に大きくなっているようにして形成し、隣接する羽根部間が空間１１になっている。
【００５０】
羽根部又は切れ刃１０を切れ目を挟む両側に設けることによって、将来、器具を取外す際に、ボルトを緩み方向へ逆回転させる際の回り止め効果を得ることができる。
【００５１】
また、図５に示す第２の実施の形態のアンカー本体２において、上記羽根部は、筒状脚部４の周壁でこの周壁に施した軸方向の切れ目に対して、ボルト３の締め付け回転方向の後方に位置する部分を外方に屈曲させて形成し、羽根部に対してボルト３の締め付け回転方向前方の位置が空間１１になっている。
【００５２】
なお、上記羽根部又は切り刃１０において、切り刃の場合は、上記した羽根部と同様の構造において、筒状脚部４から突出する羽根部の先端縁を鋭利な刃先縁とし、例えば、固定する器具ａが０．５ｍｍ程度の比較的薄手の金属板で形成された器具に対して、ボルト孔への圧入時にその内周面を切り込むようにして進入する構造になっている。
【００５３】
何れの実施の形態の羽根部又は切り刃１０においても、先端縁の突出量が、筒状脚部４の一端側から他端側に向けて徐々に大きくなっているようにするだけでなく、図５のように、その突出量が他端側に向けて二段階的に大きくなっているようにすることができ、軸心を挟んで両側に位置する羽根部又は切り刃１０の先端間の最大距離は、器具ａに設けたボルト孔ｂよりも大きく、かつ、ボルト孔ｂに圧入することができるように設定されている。
【００５４】
上記のように、羽根部又は切り刃１０の先端部の突出量を設定することにより、アンカー本体２を押し込むだけでは羽根部又は切り刃１０がボルト孔ｂには入りきらず、羽根部又は切り刃１０の一部がボルト孔ｂに入るか周囲に切り込むことで、器具ａに対してアンカー本体２は回り止め状となり、この回り止め状態でボルト３を更に回転させると、メネジ部６を頭部側へ引き寄せることになり、これによって、脚８を節部９の部分で折り曲げて開脚させることができ、この開脚時の引き付け力によって羽根部又は切り刃１０は、羽根部の場合ボルト孔ｂに圧縮されてその内部に完全に納まるか、切り刃の場合は後端位置が器具ａに切り込み進入することで、壁面の裏側で適正な開脚状態が得られたことを知ることができ、過大に締め付けて脚８を坐屈させるのを防止することができることになる。
【００５５】
図５に示す第２の実施の形態は、筒状脚部４の他端側に、この筒状脚部４の外径よりも幅の狭い帯状で、筒状脚部４の中心軸線から外方に向けてＬ字状に折れ曲る頭部１７を設けた例を示し、この頭部１７は弾性を持たせるために、ボルト３の締め付け回転方向側の前方側端部が、筒状脚部４の一端側へ近づくように傾斜しているようにしてもよい。
【００５６】
なお、図１と図２で示す第１の実施の形態のように、上記した筒状脚部４の頭部１７はこれを省いてもよく、この頭部１７がなくてもボルト３の頭部１４やワッシャ１４ａによって器具ａを固定化することができ、頭部１７がないことで後日器具ａの取外しが容易に行えることになる。
【００５７】
図４（ａ）と（ｂ）は、この発明の拡開アンカー１の製造方法の一例を示し、筒状脚部４の半分を形成できる幅を有する帯状の一枚の長い金属板を用い、金属板の中央位置に短尺筒部１５を一面側に打ち出し形成して先端を一対の爪状突起５ａとし、この金属板の短尺筒部１５を挟む両側に、節部９とその両側に切り欠き１６ａを形成すると共に、両端には両側縁の一方に係止片１８及び他方に係止切り欠き１９を設け、前記金属板の短尺筒部１５を挟む両側を断面半円形に形付けした後、これを二つ折りにして係止片１８と係止切り欠き１９を係合させることで、金属板を筒状にして筒状脚部４とすることでアンカー本体２が完成し、前記突き合わせ部分が溝７となり、切り欠き１６ａが孔１６を形成することになる。
【００５８】
この発明の拡開アンカー１は、上記のように構成であり、石膏ボードｃの壁面に器具ａを固定するには、図２（ａ）のように、アンカー本体２に予めボルト３を挿入し、螺軸１２をメネジ部６に螺合して尖り先１３が短尺筒部１５から突出するようにセットしておき、壁面に当てがった器具ａのボルト孔ｂに、尖り先１３からアンカー本体２の先端を挿入し、ボルト３の頭部１４に設けた工具係合部にドライバーを係合させてボルト３を回転させると、ボルト３とアンカー本体２は一体に回転し、ボルト３の尖り先１３と短尺筒部１５の先端面に設けた一対の爪状突起５ａによって石膏ボードｃに孔を開け、アンカー本体２の先端側が石膏ボードｃを貫通する。
【００５９】
更に、アンカー本体２を押し込むと、筒状脚部４の他端側に設けた回動阻止用の羽根部又は切り刃１０が器具ａのボルト孔ｂの内周面に当り、羽根部又は切り刃１０はその突出量が他端側に向けて徐々に大きくなったり二段階的に大きくなっているので、アンカー本体２を押し込むだだけではボルト孔ｂには入りきらず、この状態で羽根部又は切り刃１０は、羽根部とボルト孔ｂの摩擦力や切り刃の器具ａへの切り込みが生じてアンカー本体２は器具ａに対して回り止め状になる。
【００６０】
この回り止め状態でボルト３の回転を続けると、螺軸１２の雄ねじによってメネジ部６を頭部１４側に引き寄せることになり、脚８に軸方向の圧力が加わることで、脚８は各節部９の部分でＶ字状に外方へ折れ曲がり、石膏ボードｃの裏面に当接した開脚状態になる。（図２（ｂ）参照）
【００６１】
このとき、図３のように、脚８の中間部や他端側に位置する節部９が内側へ向けて樋状に窪む平坦部に形成され、この平坦部の内面が内部でボルト３の螺軸１２における外径面に接しているので、脚８はやや外方向へ広げる状態となっており、これによって、開脚時に脚８が外方へ確実に折れ曲がることになる。
【００６２】
上記のように脚８が開脚すると、この開脚時の引き付け力が増大することによって羽根部又は切り刃１０は、羽根部の場合大径側が縮径してボルト孔ｂに納まり、切り刃の場合は大径側が器具ａに進入することになり、このタイミングが、石膏ボードｃの裏面で適正な開脚状態が得られた時と略一致するために、目視できない裏面の開脚状態を知ることができ、過大な締め付けにより脚８を坐屈させるのを防止することができる。
【００６３】
上記筒状脚部４の脚８が開脚した状態で、ボルト３の頭部１４で直接又はワッシャ１４ａ等を介して器具ａを押圧し、器具ａが壁面に固定化される。
【００６４】
この発明のアンカー本体２における筒状脚部４は、従来の拡開アンカーに比べると、断面積比で約４０％と細い直径となり、脚８の支持力の低下が生じるが、この発明では分割する脚８の数を減じ、さらに、それぞれの脚８を横断面が半円状として、曲げ力に抗するようにしたので、この問題を解消することができる。
【００６５】
上記のようにして、器具ａを壁面に固定化すると、一つの手順で器具ａの取り付けが完了し、取付け時間が短縮できると共に、器具ａのボルト孔ｂから拡開アンカー１を直接挿入して、そのまま固定することができるために、位置ずれの問題を解消することもできる。
【００６６】
また、開脚する脚８の形状を横断面で半円状にしたことによる付随的な効果として、石膏ボードｃの裏面で折れ曲がった脚８は半円面が石膏ボードｃに当接するために、従来のアンカーの細長い平板状の脚で発生しがちであった、ボード裏面の補強紙の突き破りによる支持強度低下を減ずることができる。
【００６７】
ここで、上記した特許文献２には、「半割シェル状」の脚部が開示されているが、石膏ボードの裏面に当接する脚部は他の公知のアンカーと同様に、「幅の狭められた略平らな部分」とされており、石膏ボード裏面の補強紙の突き破り防止の思想も構成も見られない。
【００６８】
次に、将来、器具ａを取り外す時には、ボルト３を逆回転して抜き取れば器具ａを取外すことができ、また、頭部１７を設けたアンカー本体２の場合は、頭部１７をドライバーの先端などで曲げて、アンカー本体２の中心軸線方向に直立させれば器具ａは容易に取り外すことができ、何れの場合も、壁に残ったアンカー本体２は、壁方向へ押して、壁の裏側に落とし込むことができる。
【符号の説明】
【００６９】
１        拡開アンカー
２        アンカー本体
３        ボルト
４        筒状脚部
５        穿孔手段
６        メネジ部
７        溝
８        脚
９        節部
１０      羽根部又は切り刃
１１      空間
１２      螺軸
１３      尖り先
１４      頭部
１５      短尺筒部
１６      孔
１７      頭部
１８      係止片
１９      係止切り欠き
【図１】
2010164180.tif 000003
【図２】
2010164180.tif 000004
【図３】
2010164180.tif 000005
【図４】
2010164180.tif 000006
【図５】
2010164180.tif 000007